(57)【特許請求の範囲】
【請求項１】
動作の指示を入力する操作部と、
操作部の操作に基づいて各部を制御する制御部と、
操作部の所定の手順の操作に対応する機能を記憶する記憶部とを有し、
前記操作部の所定の手順の操作に対応する機能の設定の変更が可能な通信装置において、
所定の手順の操作に対応して設定された機能に関する操作情報を、他の通信装置から入力する操作情報入力手段と、
前記操作情報入力手段により他の通信装置から入力された操作情報を、前記操作部の特定の手順の操作に対応する機能として設定する操作情報設定手段とを備え、
前記操作情報設定手段は、前記操作情報入力手段により入力された操作情報が前記通信装置が備えていない機能に関するものであるときは、当該入力された操作情報を使用しないことを特徴とする通信装置。
【請求項２】
動作の指示を入力する操作部と、
操作部の操作に基づいて各部を制御する制御部と、
操作部の所定の手順の操作に対応する機能を記憶する記憶部とを有し、
前記操作部の所定の手順の操作に対応する機能の設定の変更が可能な通信装置において、
所定の手順の操作に対応して設定された機能に関する操作情報を、他の通信装置から入力する操作情報入力手段と、
前記操作情報入力手段により他の通信装置から入力された操作情報を、前記操作部の特定の手順の操作に対応する機能として設定する操作情報設定手段とを備え、
前記操作部は、機能が割り当てられるキーを有し、
前記操作情報設定手段は、前記操作部に、前記操作情報入力手段により入力された操作情報に対応するキーが無いときは、当該入力された操作情報に対応する機能を割り当てるキーの指定を待って、当該指定されたキーに当該入力された操作情報を割り当てて、前記通信装置の機能として設定することを特徴とする通信装置。
【請求項３】
動作の指示を入力する操作部と、
操作部の操作に基づいて各部を制御する制御部と、
操作部の所定の手順の操作に対応する機能を記憶する記憶部とを有し、
前記操作部の所定の手順の操作に対応する機能の設定の変更が可能な通信装置において、
所定の手順の操作に対応して設定された機能に関する操作情報を、他の通信装置から入力する操作情報入力手段と、
前記操作情報入力手段により他の通信装置から入力された操作情報を、前記操作部の特定の手順の操作に対応する機能として設定する操作情報設定手段とを備え、
前記操作情報設定手段は、複数の通信装置から入力された操作情報を設定可能であり、前記操作情報設定手段は、前記複数の通信装置から入力された操作情報が競合しなければ、前記複数の通信装置から入力された全ての操作情報を設定することを特徴とする通信装置。
【請求項４】
前記操作情報設定手段は、前記複数の通信装置から入力された操作情報が競合したときは、前記複数の通信装置から入力された複数の操作情報を設定し、前記設定された操作情報に対応する機能を切り替えて実行させる機能切替手段を有することを特徴とする請求項３に記載の通信装置。
【請求項５】
所定の手順の操作に対応して設定された機能に関する操作情報を、他の通信装置へ出力する操作情報出力手段を備え、
前記操作部は、前記設定された機能が割り当てられたキーを有し、
前記操作情報出力手段は、前記設定された機能に対応する機能コードと、当該機能が割り当てられているキーに対応する操作手順コードとを有する操作データを、前記操作情報として出力することを特徴とする請求項１から４のいずれか一つに記載の通信装置。
【請求項６】
前記通信装置は無線基地局との間で無線により通信を行う無線通信装置であって、前記無線通信装置は無線基地局を介さずに他の無線通信装置と通信をする通信手段を有し、前記操作情報出力手段は、前記無線通信装置に設定された操作情報を、他の無線通信装置が通信手段によって受信可能な信号により、前記通信手段から送信することを特徴とする請求項５に記載の通信装置。
【請求項７】
前記通信装置には、外部記憶手段が着脱可能に接続され、前記操作情報出力手段は前記通信装置に設定された操作情報を前記外部記憶手段に出力し、前記操作情報入力手段は前記外部記憶手段に記憶された前記通信装置の操作情報を前記通信装置の機能として設定するために読み取ることを特徴とする請求項５又は６に記載の通信装置。
【請求項８】
前記操作情報出力手段は、転送元の通信装置に設定された操作情報を、前記通信装置と通信可能に接続されたサーバ装置に送信し、前記操作情報入力手段は、前記サーバ装置に記憶された前記通信装置に設定しうる操作情報を受信して、前記通信装置の機能として設定することを特徴とする請求項５から７のいずれか一つに記載の通信装置。
【請求項９】
前記操作情報出力手段は、前記操作情報に対応する機能を実行する際に使用されるデータを出力することを特徴とする請求項５から８のいずれか一つに記載の通信装置。
【請求項１０】
操作部の所定の手順の操作に対応する機能の設定変更が可能な通信装置から操作情報を入出力するインターフェース部と、前記操作情報の入出力を制御する制御部とを有するコンピュータ装置において、前記制御部は、第１の通信装置に設定された機能に関する操作情報の入力を制御する手段と、第２の通信装置に設定する機能に関する操作情報の出力を制御する手段と、前記入力された操作情報が前記通信装置が備えていない機能に関するものであるときは、当該入力された操作情報の前記第２の通信装置への出力を停止する手段とを備えることを特徴とするコンピュータ装置。
【請求項１１】
機能が割り当てられるキーを有する操作部の所定の手順の操作に対応する機能の設定変更が可能な通信装置から操作情報を入出力するインターフェース部と、
前記操作情報の入出力を制御する制御部とを有するコンピュータ装置において、
前記制御部は、
第１の通信装置に設定された機能に関する操作情報の入力を制御する手段と、
第２の通信装置に設定する機能に関する操作情報の出力を制御する手段と、
前記第２の通信装置の前記操作部に、前記入力された操作情報に対応するキーが無いときは、当該入力された操作情報に対応する機能を割り当てるキーの指定を待って、当該指定されたキーに当該入力された操作情報を割り当てて、前記第２の通信装置に操作情報を出力するように制御する手段とを備えることを特徴とするコンピュータ装置。
【請求項１２】
操作部の所定の手順の操作に対応する機能の設定変更が可能な通信装置から操作情報を入出力する装置としてコンピュータを機能させるプログラムにおいて、第１の通信装置に設定された機能に関する操作情報を入力する手段と、第２の通信装置に設定する機能に関する操作情報を出力する手段と、前記入力された操作情報が前記通信装置が備えていない機能に関するものであるときは、当該入力された機能に関する操作情報の前記第２の通信装置への出力を停止する手段とをコンピュータに機能させることを特徴とするプログラム。
【請求項１３】
機能が割り当てられるキーを有する操作部の所定の手順の操作に対応する機能の設定変更が可能な通信装置から、操作情報を入出力する装置としてコンピュータを機能させるプログラムにおいて、
第１の通信装置に設定された機能に関する操作情報を入力する手段と、
第２の通信装置に設定する機能に関する操作情報を出力する手段と、
前記第２の通信装置の前記操作部に前記入力された操作情報に対応するキーが無いときは、当該入力された操作情報に対応する機能を割り当てるキーの指定を待って、当該指定されたキーに当該入力された操作情報を割り当てて、前記第２の通信装置に出力する手段とをコンピュータに機能させることを特徴とするプログラム。
【発明の詳細な説明】
【０００１】
【発明が属する技術分野】
本発明は、通信装置に関し、他の通信装置に操作情報を出力し、他の通信装置から操作情報を入力可能な通信装置に関する。
【０００２】
【従来の技術】
通信装置は、所定の操作により他の通信装置との間で通信回線を設定し、音声、データ等を送受して通信を行う。特に、携帯電話機等の通信装置は、無線基地局との間に電波による通信回線を設定し、無線により音声、データ等を送受して通信を行うものであり、無線部（送信部、受信部等）の他、無線機全体を統括して制御する制御部を有している。使用者はこの制御部に対して操作部（キーボード）から指示をして、携帯電話機の動作を設定する。例えば、着信制限機能を設定して、特定の者（電話機）からの呼の着信を制限することができる。
【０００３】
また、近年の携帯電話機は多くの機能を有し、操作が複雑化していることから、使用者が任意に選択且つ書き換え可能な一つの機能を割り当てる機能割当キーを設けた携帯端末装置が提案されている（例えば、特開平９−１８９４５号公報）。
【０００４】
【発明が解決しようとする課題】
しかし、このような機能割当キーを設けても、この機能割当キーへ機能を割り当てて設定する操作が複雑であれば、取扱説明書を参照しながら操作しなければならず、機能割当キーが活用されないことがあった。また、機種変更時や、複数台の携帯電話機を使用している場合に、機能割当キーに同じ機能を割り当てて、同じ使い勝手とするためには、携帯電話機毎にキーの割当操作をしなければならず操作が煩雑であった。
【０００５】
本発明は、通信装置から操作情報を出力して、容易に他の通信装置に同様の機能の設定ができる通信装置を提供することを目的とする。
【０００６】
【課題を解決するための手段】
第１の発明は、使用者が通信装置に動作の指示を入力する操作部（１０）と、操作部の操作に基づいて各部を制御する制御部（６）と、操作部の所定の手順の操作に対応する機能を記憶する記憶部（１１）とを有し、前記操作部の所定の手順の操作に対応する機能の設定の変更が可能な通信装置において、所定の手順の操作に対応して設定された機能に関する操作情報を、他の通信装置から入力する操作情報入力手段と、前記操作情報入力手段により他の通信装置から入力された操作情報を、前記操作部の特定の手順の操作に対応する機能として設定する操作情報設定手段とを備え、前記操作情報設定手段は、前記操作情報入力手段により入力された操作情報が前記通信装置が備えていない機能に関するものであるときは、当該入力された操作情報を使用しないことを特徴とする。
【０００７】
第２の発明は、使用者が通信装置に動作の指示を入力する操作部（１０）と、操作部の操作に基づいて各部を制御する制御部（６）と、操作部の所定の手順の操作に対応する機能を記憶する記憶部（１１）とを有し、前記操作部の所定の手順の操作に対応する機能の設定の変更が可能な通信装置において、所定の手順の操作に対応して設定された機能に関する操作情報を、他の通信装置から入力する操作情報入力手段と、前記操作情報入力手段により他の通信装置から入力された操作情報を、前記操作部の特定の手順の操作に対応する機能として設定する操作情報設定手段とを備え、前記操作部は、機能が割り当てられるキーを有し、前記操作情報設定手段は、前記操作部に、前記操作情報入力手段により入力された操作情報に対応するキーが無いときは、当該入力された操作情報に対応する機能を割り当てるキーの指定を待って、当該指定されたキーに当該入力された操作情報を割り当てて、前記通信装置の機能として設定することを特徴とする。
【０００８】
第３の発明は、使用者が通信装置に動作の指示を入力する操作部（１０）と、操作部の操作に基づいて各部を制御する制御部（６）と、操作部の所定の手順の操作に対応する機能を記憶する記憶部（１１）とを有し、前記操作部の所定の手順の操作に対応する機能の設定の変更が可能な通信装置において、所定の手順の操作に対応して設定された機能に関する操作情報を、他の通信装置から入力する操作情報入力手段と、前記操作情報入力手段により他の通信装置から入力された操作情報を、前記操作部の特定の手順の操作に対応する機能として設定する操作情報設定手段とを備え、前記操作情報設定手段は、複数の通信装置から入力された操作情報を設定可能であり、前記操作情報設定手段は、前記複数の通信装置から入力された操作情報が競合しなければ、前記複数の通信装置から入力された全ての操作情報を設定することを特徴とする。
【０００９】
第４の発明は、第３の発明において、前記操作情報設定手段は、前記複数の通信装置から入力された操作情報が競合したときは、前記複数の通信装置から入力された複数の操作情報を設定し、前記設定された操作情報に対応する機能を切り替えて実行させる機能切替手段を有することを特徴とする。
【００１０】
第５の発明は、第１〜第４の発明のいずれか一つにおいて、前記通信装置は無線基地局との間で無線により通信を行う無線通信装置であって、前記無線通信装置は無線基地局を介さずに他の無線通信装置と通信をする通信手段を有し、前記操作情報出力手段は、前記無線通信装置に設定された操作情報を、他の無線通信装置が通信手段によって受信可能な信号により、前記通信手段から送信することを特徴とする。
【００１１】
第６の発明は、第５の発明において、前記通信装置は無線基地局（３２）との間で無線により通信を行う無線通信装置であって、前記無線通信装置は無線基地局を介さずに他の無線通信装置と通信（例えば、無線通信、赤外線通信）をする通信手段を有し、前記操作情報出力手段は、前記無線通信装置に設定された操作情報を、他の無線通信装置が通信手段によって受信可能な信号により、前記通信手段から送信することを特徴とする。
【００１２】
第７の発明は、第５又は第６の発明において、前記通信装置には、外部記憶手段が着脱可能に接続され、前記操作情報出力手段は前記通信装置に設定された操作情報を前記外部記憶手段（１４）に出力し、前記操作情報入力手段は前記外部記憶手段に記憶された前記通信装置の操作情報を前記通信装置の機能として設定するために読み取ることを特徴とする。
【００１３】
第８の発明は、第５〜第７の発明のいずれか一つにおいて、前記操作情報出力手段は、転送元の通信装置に設定された操作情報を、前記通信装置と通信可能に接続された（例えば、無線基地局を介して接続された）サーバ装置（３３）に送信し、前記操作情報入力手段は、前記サーバ装置に記憶された前記通信装置に設定しうる操作情報を受信して（例えば、無線基地局を介して受信して）、前記通信装置の機能として設定することを特徴とする。
【００１４】
第９の発明は、第５〜第８の発明のいずれか一つにおいて、前記操作情報出力手段は、前記操作情報に対応する機能を実行する際に使用されるデータを出力することを特徴とする。
【００１５】
第１０の発明は、操作部の所定の手順の操作に対応する機能の設定変更が可能な通信装置から操作情報を入出力するインターフェース部と、前記操作情報の入出力を制御する制御部とを有するコンピュータ装置（２５）において、前記制御部は、第１の通信装置（２１）に設定された機能に関する操作情報の入力を制御する手段と、第２の通信装置（２３）に設定する機能に関する操作情報の出力を制御する手段と、前記入力された操作情報が前記通信装置が備えていない機能に関するものであるときは、当該入力された操作情報の前記第２の通信装置への出力を停止する手段とを備えることを特徴とする。
【００１６】
第１１の発明は、機能が割り当てられるキーを有する操作部の所定の手順の操作に対応する機能の設定変更が可能な通信装置から操作情報を入出力するインターフェース部と、前記操作情報の入出力を制御する制御部とを有するコンピュータ装置（２５）において、前記制御部は、第１の通信装置（２１）に設定された機能に関する操作情報の入力を制御する手段と、第２の通信装置（２３）に設定する機能に関する操作情報の出力を制御する手段と、前記第２の通信装置の前記操作部に、前記入力された操作情報に対応するキーが無いときは、当該入力された操作情報に対応する機能を割り当てるキーの指定を待って、当該指定されたキーに当該入力された操作情報を割り当てて、前記第２の通信装置に操作情報を出力するように制御する手段とを備えることを特徴とする。
【００１７】
第１２の発明は、操作部の所定の手順の操作に対応する機能の設定変更が可能な通信装置から操作情報を入出力する装置としてコンピュータ（２５）を機能させるプログラムにおいて、第１の通信装置（２１）に設定された機能に関する操作情報を入力する手段と、第２の通信装置（２３）に設定する機能に関する操作情報を出力する手段と、前記入力された操作情報が前記通信装置が備えていない機能に関するものであるときは、当該入力された機能に関する操作情報の前記第２の通信装置への出力を停止する手段とをコンピュータに機能させることを特徴とする。
【００１８】
第１３の発明は、機能が割り当てられるキーを有する操作部の所定の手順の操作に対応する機能の設定変更が可能な通信装置から、操作情報を入出力する装置としてコンピュータ（２５）を機能させるプログラムにおいて、第１の通信装置（２１）に設定された機能に関する操作情報を入力する手段と、第２の通信装置（２３）に設定する機能に関する操作情報を出力する手段と、前記第２の通信装置の前記操作部に前記入力された操作情報に対応するキーが無いときは、当該入力された操作情報に対応する機能を割り当てるキーの指定を待って、当該指定されたキーに当該入力された操作情報を割り当てて、前記第２の通信装置に出力する手段とをコンピュータに機能させることを特徴とする。
【００２１】
【発明の作用および効果】
第１の発明では、所定の手順の操作に対応して設定された機能に関する操作情報を、通信装置から出力する操作情報出力手段と、所定の手順の操作に対応して設定しうる機能に関する操作情報を、通信装置に入力する操作情報入力手段と、操作情報入力手段により入力された操作情報を、通信装置の操作部の特定の手順の操作に対応する機能として設定する操作情報設定手段とを備えたので、操作情報出力手段により出力した操作情報を操作情報入力手段により入力して、操作情報設定手段により通信装置に設定することから、他の通信装置に操作情報を転送して、他の通信装置に当該操作情報に基づく機能を設定して、簡単に同じ使い勝手の通信装置とすることができる。また、操作情報設定手段は、操作情報入力手段により入力された操作情報が、通信装置が備えていない機能に関するものであるときは、当該入力された操作情報を使用しないので、機能が異なる機種間で操作情報を転送しても、異なる機能が設定されることがない。
【００２２】
第２の発明では、所定の手順の操作に対応して設定された機能に関する操作情報を、通信装置から出力する操作情報出力手段と、所定の手順の操作に対応して設定しうる機能に関する操作情報を、通信装置に入力する操作情報入力手段と、操作情報入力手段により入力された操作情報を、通信装置の操作部の特定の手順の操作に対応する機能として設定する操作情報設定手段とを備えたので、操作情報出力手段により出力した操作情報を操作情報入力手段により入力して、操作情報設定手段により通信装置に設定することから、他の通信装置に操作情報を転送して、他の通信装置に当該操作情報に基づく機能を設定して、簡単に同じ使い勝手の通信装置とすることができる。また、操作情報設定手段は、操作情報の転送先の通信装置で操作情報入力手段により入力された操作情報に対応する手順の操作ができないときは、当該入力された操作情報に対応する機能を割り当てる操作手順の指定を待って、当該指定された操作手順に当該入力された操作情報を割り当てて、通信装置の機能として設定するので、異なる操作部を備えた機種間で操作情報を転送しても、異なる操作手順に当該機能が設定されることがない。
【００２３】
第３の発明では、所定の手順の操作に対応して設定された機能に関する操作情報を、通信装置から出力する操作情報出力手段と、所定の手順の操作に対応して設定しうる機能に関する操作情報を、通信装置に入力する操作情報入力手段と、操作情報入力手段により入力された操作情報を、通信装置の操作部の特定の手順の操作に対応する機能として設定する操作情報設定手段とを備えたので、操作情報出力手段により出力した操作情報を操作情報入力手段により入力して、操作情報設定手段により通信装置に設定することから、他の通信装置に操作情報を転送して、他の通信装置に当該操作情報に基づく機能を設定して、簡単に同じ使い勝手の通信装置とすることができる。また、操作情報設定手段は、複数の通信装置から入力された操作情報を設定可能としたので、一つの通信装置に異なる使い勝手の操作を混在させることができる。また、操作情報設定手段は、複数の通信装置から入力された操作情報が競合しなければ、複数の通信装置から入力された全ての操作情報を設定するので、複数の操作情報に基づいて、通信装置に多くの機能を実現させることができる。
【００２４】
第４の発明では、操作情報設定手段は、複数の通信装置から入力された操作情報が競合したときは、複数の通信装置から入力された複数の操作情報を設定するので、設定された操作情報を切り替えて使用可能とすることができ、一つの通信装置内に異なる使い勝手の操作を混在させることができる。
【００２５】
第５の発明では、操作情報出力手段は、設定された機能に対応する機能コードと、当該機能が割り当てられている操作手順に対応する操作手順コードとを出力するので、異なる機種間で操作情報を共通化でき、同一機種間でなくても操作情報を転送することができる。
【００２６】
第６の発明では、通信装置は無線基地局との間で無線により通信を行い、無線基地局を介さずに他の無線通信装置と通信をする通信手段を有する無線通信装置であって、操作情報出力手段は、無線通信装置に設定された操作情報を、他の無線通信装置が通信手段によって受信可能な信号により、通信手段から送信するので、無線回線のトラフィックを増加させることなく、操作情報を転送することができる。
【００２７】
第７の発明では、通信装置には外部記憶手段が着脱可能に接続され、操作情報出力手段は通信装置に設定された操作情報を外部記憶手段に出力し、操作情報入力手段は外部記憶手段に記憶された通信装置の操作情報を通信装置の機能として設定するために読み取るので、外部記憶手段を着脱することにより操作情報を転送して、簡単に他の通信装置に機能を設定することができる。
【００２８】
第８の発明では、操作情報出力手段は転送元の通信装置に設定された操作情報を、通信装置と通信可能に接続されたサーバ装置に送信し、操作情報入力手段は、サーバ装置に記憶された通信装置に設定しうる操作情報を受信して、通信装置の機能として設定するので、他の接続手段（接続ケーブル、赤外線通信手段等）を用いることなく他の通信装置に操作情報を転送して機能を設定することができる。また、遠方の通信装置にも操作情報を転送して、簡単に他の通信装置に機能を設定することができる。
【００２９】
第９の発明では、操作情報出力手段は、操作情報に対応する機能を実行する際に使用されるデータも出力するので、当該機能の実行時に使用されるデータを別に転送する必要がない。
【００３０】
第１０の発明では、操作情報の入出力を制御する制御部は、第１の通信装置に設定された機能に関する操作情報の入力を制御する手段と、第２の通信装置に設定する機能に関する操作情報の出力を制御する手段と、入力された操作情報が通信装置が備えていない機能に関するものであるときは当該入力された機能に関する操作情報の第２の通信装置への出力を停止する手段とを備えるので、機能が異なる機種間で操作情報を転送しても、異なる機能が設定されることがない。
【００３１】
第１１の発明では、操作情報の入出力を制御する制御部は、第１の通信装置に設定された機能に関する操作情報の入力を制御する手段と、第２の通信装置に設定する機能に関する操作情報の出力を制御する手段と、第２の通信装置において入力された操作情報に対応する操作ができないときは、当該入力された操作情報に対応する機能を割り当てる操作手順の指定を待って、当該指定された操作手順に当該入力された操作情報を割り当てて、第２の通信装置に操作情報を出力するように制御する手段とを備えるので、異なる操作部を備えた機種間で操作情報を転送しても、異なる操作手順に当該機能が設定されることがない。
【００３２】
第１２の発明では、操作部の所定の手順の操作に対応する機能の設定変更が可能な通信装置から操作情報を入出力する装置としてコンピュータを機能させるためのプログラムにおいて、第１の通信装置に設定された機能に関する操作情報を入力する手段と、第２の通信装置に設定する機能に関する操作情報を出力する手段と、入力された操作情報が通信装置が備えていない機能に関するものであるときは、当該入力された機能に関する操作情報の第２の通信装置への出力を停止する手段とをコンピュータに機能させるので、機能が異なる機種間で操作情報を転送しても、異なる機能が設定されることがない。
【００３３】
第１３の発明では、操作部の所定の手順の操作に対応する機能の設定変更が可能な通信装置から操作情報を入出力する装置としてコンピュータを機能させるためのプログラムにおいて、第１の通信装置に設定された機能に関する操作情報を入力する手段と、第２の通信装置に設定する機能に関する操作情報を出力する手段と、入力された操作情報に対応する操作ができないときは、当該入力された操作情報に対応する機能を割り当てる操作手段の指定を待って、当該指定された操作手順に当該入力された操作情報を割り当てて、第２の通信装置に出力する手段とをコンピュータに機能させるので、異なる操作部を備えた機種間で操作情報を転送しても、異なる操作手順に当該機能が設定されることがない。
【００３６】
【発明の実施の形態】
次に、本発明の実施の形態について図面を参照して説明する。
【００３７】
図１は、本発明の実施の形態の携帯電話機の主要な構成を示すブロック図である。
【００３８】
アンテナ１は無線部２に接続されており、無線基地局からの電波を受信し、無線基地局に対し電波を送信する。無線部２は送信部３及び受信部４により構成され、送信部３はアンテナ１から送信する高周波信号を生成する。受信部４はアンテナ１で受信した高周波信号を増幅、周波数変換等をして、ベースバンド信号として音声処理部５に出力する。このベースバンド信号は音声処理部５内の変復調部にて音声信号に復調される。また、変復調部では送話部７からの音声信号を変調し、ベースバンド信号を生成する。
【００３９】
制御部６は、無線部２、表示部９、操作部１０等の携帯電話機の各部を制御する。無線部２に対しては、送受信周波数、送信電波の出力を制御する。また、制御部６は、表示部（液晶表示器）９に対して表示データを送り、操作部（キーボード）１０からの、文字、数字の入力、携帯電話機への動作の指示を受け付ける。
【００４０】
記憶部１１には、携帯電話機の識別番号、制御部６にて実行されるプログラム、メモリダイヤル、使用者により設定されるファンクションキー等の情報が保存されている。この記憶部１１は、携帯電話機の電源が遮断されても記憶内容を保持する必要があるので、不揮発性メモリ（例えば、フラッシュメモリ）で構成するとよい。また、携帯電話機の主記憶部とは別の記憶領域に、ファンクションキーに対応して設定される機能を記憶するように構成してもよく、この記憶領域は後述する外部記憶部１４に設けてもよい。
【００４１】
外部記憶部１４は、携帯電話機に着脱可能に構成され、携帯電話機に設けられた接続端子に装着されて、携帯電話機の記憶部の一部を構成する。この外部記憶部１４には、使用者を認識する識別番号（電話番号）や、メモリダイヤル、使用者が設定したファンクションキー等の情報を保存することができ、使用者が別の携帯電話機に外部記憶部１４を装着して、その携帯電話機を自己の携帯電話機として使用することができる。すなわち、別の携帯電話機でファンクションキーに設定した機能を外部記憶部１４に保持するので、外部記憶部１４を着脱することによりファンクションキーに同一の機能を設定して、他の携帯電話機を自己の電話機と同様の使い勝手で使用できる。
【００４２】
表示部９は液晶表示パネル及びＬＣＤドライバで構成されており、制御部６からの表示指令信号により、携帯電話機の動作状態や、操作部１０に入力された情報、無線回線を介して取得した文字、図形の情報等を表示する。
【００４３】
操作部１０はキースイッチで構成されており、１〜９、０、＊、＃のダイヤルキーと複数のファンクションキーとを有している。このファンクションキーには使用者が任意に機能を設定できるファンクションキーが含まれており、所定の登録操作により自己の希望する機能をファンクションキーに割り当てることができる。
【００４４】
この使用者が任意に機能を設定できるファンクションキーのうち一部のキーの機能を設定変更できるようにしてもよいし、全てのキーの機能を設定変更できるようにしてもよい。さらに、使用者が携帯電話機を購入したときにはファンクションキーには一切機能が設定されておらず、使用者が操作情報を転送してファンクションキーの機能を設定するようにしてもよい。
【００４５】
インターフェース部１２は、携帯電話機にデータを入出力するための接続端子であり、コネクタが接続される。
【００４６】
外部通信部１３は、無線基地局を介さないで、他の携帯電話機との間で通信を行うもので、赤外線（例えば、ＩｒＤＡ）又は無線（例えば、Ｂｌｕｅｔｏｏｔｈ）による通信を可能とするものである。具体的には、外部通信部１３は、通信プロトコルの制御を行う外部通信制御部（ＣＰＵ等）と、赤外線発光・受光部（又は無線部）により構成されている。
【００４７】
さらに、携帯電話機は、音響信号を電気信号に変換する送話部７、電気信号を音響信号に変換する受話部８を有している。
【００４８】
図２は、本発明の第１の実施の形態のデータ転送の態様を示す図である。この第１の実施の形態においては、携帯電話機同士をケーブルで直接接続してデータを転送する。
【００４９】
転送元装置（携帯電話機）２１のインターフェース部１２には接続ケーブル２４の一方のコネクタが接続され、転送先装置（携帯電話機）２３のインターフェース部１２には接続ケーブル２４の他方のコネクタが接続される。これにより、転送元装置２１と転送先装置２３とは、接続ケーブル２４によって接続され、信号のやりとりができるようになっている。転送元装置２１と転送先装置２３とを接続ケーブル２４により接続して、転送元装置２１と転送先装置２３とにおいて所定のデータ転送の操作をすると、転送元装置２１のファンクションキーに設定した機能が操作情報として転送先装置２３に転送され、転送先装置２３のファンクションキーの機能として設定される。
【００５０】
図３は、本発明の第１の実施の形態の構成によって携帯電話機同士を接続ケーブル２４で接続してデータを転送するときの携帯電話機の動作を示すフローチャートである。
【００５１】
転送元装置２１と転送先装置２３とを接続ケーブル２４によって接続した後、転送元装置２１と転送先装置２３とを操作して、データ転送モードに設定する（Ｓ１０２）。データ転送モードの動作を開始した転送元装置２１と転送先装置２３とは、相互に同期をとり、通信が可能な状態に初期設定を行い（Ｓ１０３）、操作情報の転送を始める。
【００５２】
転送元装置２１は、操作情報のうち操作手順（特定のファンクションキーの操作）に設定された機能に対応する操作データのうち、未だ転送されていない操作データがあるかを判断し（Ｓ１０４）、未転送データが有れば１件の操作データを転送先装置２３に転送する（Ｓ１０５）。この転送されるデータは、操作手順（ファンクションキー）に設定されている機能に対応する機能コードと、その機能が割り当てられている操作手順（ファンクションキー）に対応する手順コードとで構成されている。このとき、機能コードに対応する機能の実行時に必要なデータがあれば（例えば、着信音変更機能における着信音データ）、操作データを転送する際にこの実行用のデータを転送してもよい。
【００５３】
一方、未転送の操作データが無くなり、全ての操作データの転送が終わったら、操作情報の転送を終了する（Ｓ１０６）。
【００５４】
１件のデータの転送を受けた転送先装置２３は、受信した操作データの解析を行う（Ｓ１０７〜Ｓ１１２）。まず、転送された機能コードに相当する機能が転送先装置２３に備わっているか（例えば、着信音変更機能が有するか）を判断する（Ｓ１０７）。転送先装置２３が転送された機能コードに相当する機能を備えていなければ、転送されたファンクションキーの設定データを無視して、転送先装置２３の機能として設定をしない（Ｓ１０８）。一方、転送先装置２３が転送された機能コードに相当する機能を備えていれば、転送された手順コードから、転送先装置２３に相当する操作キーがあり、同様の手順の操作ができるか（例えば、同じ位置にファンクションキーがあるか）を判断する（Ｓ１０９）。転送先装置２３において転送された手順コードに対応する操作が可能であれば、転送された操作データを対応するキーに割り当てて、操作データを記憶部１１に記憶する（Ｓ１１０）。
【００５５】
転送先装置２３に対応する操作キーがない等、同様の手順の操作ができなければ、転送先装置２３にて当該操作データを割り当てる操作手順（キー）の入力を促して、操作手順の入力を受け付ける（Ｓ１１１）。そして、転送された操作データを使用者が入力した操作手順（キー）に割り当てて、転送された操作データを記憶部１１に記憶する（Ｓ１１２）。
【００５６】
その後ステップＳ１０４に戻り、転送元装置２１が未転送の操作データがあるかを判断し、未転送の操作データが無くなれば、操作情報の転送を終了する（Ｓ１０６）。
【００５７】
図４は、本発明の第２の実施の形態のデータ転送の態様を示す図である。この第２の実施の形態において、携帯電話機は基地局を介さずに直接通信をする手段である第２の無線部を有し、基地局との通信とは別の周波数及び別のプロトコル（例えば、Ｂｌｕｅｔｏｏｔｈ）により携帯電話機同士が直接通信を行い、操作情報を転送する。本実施の形態では、携帯電話機同士は無線により直接通信を行うが、赤外線通信（例えば、ＩｒＤＡ）により携帯電話機同士を直接接続するように構成してもよい。
【００５８】
第２の実施の形態では、転送元装置（携帯電話機）２１と転送先装置（携帯電話機）２３とにおいて、所定の操作をすることによって、転送元装置２１と転送先装置２３にとは外部通信部１３によって電波により接続され、転送元装置２１から転送先装置２３に操作情報を転送して、転送元装置２１のファンクションキーに設定された機能が転送先装置２３のファンクションキーの機能として設定される。第２の実施の形態における転送元装置２１と転送先装置２３との動作は、第１の実施の形態（図３）において説明した動作と同様である。
【００５９】
このように、第１の実施の形態では、インターフェース部１２から操作情報を出力し、インターフェース部１２に操作情報を入力するように構成し、さらに、操作部１０の特定の手順の操作に対応する機能として設定するように、入力された操作情報を記憶部１１に記憶するので、ファンクションキーに設定した操作情報を入出力して、他の携帯電話機に操作情報を転送して設定できることから、簡単に他の携帯電話機を同じ使い勝手の携帯電話機とすることができる。
【００６０】
また、第２の実施の形態では、外部通信部１３から操作情報を出力し、外部通信部１３に操作情報を入力するように構成し、さらに、操作部１０の特定の手順の操作に対応する機能として設定するように、入力された操作情報を記憶部１１に記憶するので、ファンクションキーに設定した操作情報を入出力して、他の携帯電話機に操作情報を転送して設定できることから、簡単に他の携帯電話機を同じ使い勝手の携帯電話機とすることができる。
【００６１】
また、第１又は第２の実施の形態では、操作情報として、ファンクションキーに設定されている機能に対応する機能コードと、その機能が割り当てられているファンクションキーに対応する手順コードとを入出力するので、異なる機種間で操作情報を共通化でき、同一機種間でなくても操作情報を転送することができる。
【００６２】
また、無線基地局を介さずに他の携帯電話機と通信をする通信手段（インターフェース部１２、外部通信部１３）を有し、他の携帯電話機が受信可能な信号で操作情報を通信手段から送信するので、無線回線のトラフィックを増加させることなく操作情報を転送することができる。
【００６３】
また、転送先装置２３に入力された操作情報が、転送先装置２３に備わっていない機能に関するものであるときは、当該操作情報を転送先装置２３に設定しないので、機能が異なる機種に操作情報を転送したときに異なる機能が設定されることがない。
【００６４】
また、転送先装置２３に入力された操作情報に対応するファンクションキーが転送先装置２３に備わっていないときは、当該操作情報に対応する機能を割り当てるキーの指定を待って、当該操作情報に対応する機能を当該指定されたファンクションキーに割り当てて、携帯電話機の機能として設定するので、異なる操作部を備えた機種に操作情報を転送しても、異なるファンクションキーに転送した操作情報に関する機能が設定されることがない。
【００６５】
また、操作情報を転送する際に、操作情報に対応する機能の実行時に使用されるデータを出力すると、実行時に使用されるデータを別に転送する必要がない。
【００６６】
図５は、本発明の第３の実施の形態の操作情報の転送の態様を示す図である。この第３の実施の形態において、着脱可能な記憶装置であるＳＩＭカード１４を携帯電話機に装着することができ、このＳＩＭカード１４を介してファンクションキーに設定された操作情報を転送する。すなわち、転送元装置２１（携帯電話機）は操作情報をＳＩＭカード１４に書き込み、転送先装置２３（携帯電話機）は操作情報をＳＩＭカード１４から読み出して、転送先装置２３の機能として設定する。
【００６７】
図６は、本発明の第３の実施の形態の構成によって携帯電話機同士で操作情報を転送する場合のフローチャートである。
【００６８】
まず、転送元装置２１を読取モードにして、ファンクションキーに対応する機能として、記憶部１１に記憶された操作情報をＳＩＭカード１４に書き込む初期設定をし（Ｓ１２２）、操作情報を記憶部１１から読み出し、ＳＩＭカード１４に書き込む（Ｓ１２３）。このとき、操作情報をＳＩＭカード１４への記憶に適したデータに変換した後、ＳＩＭカード１４に記憶してもよい。
【００６９】
その後、ＳＩＭカード１４を転送元装置２１から取り外し、転送先装置（携帯電話機）２３に取り付ける（Ｓ１２４）。転送先装置２３を読取モードにして、ＳＩＭカード１４に書き込まれた操作情報を読み込む設定をし（Ｓ１２５）、ＳＩＭカード１４から操作情報を読み出す（Ｓ１２６）。その後、第１の実施の形態のステップＳ１０７〜Ｓ１１２と同様に操作情報の解析をする（Ｓ１２７）。すなわち、転送を受けた操作情報に基づいて、転送を受けた機能や、その機能が設定されたファンクションキーが転送先装置２３に備わっているかを判断する。そして、解析が終了した操作情報を転送先装置２３の記憶部１１に記憶して、ファンクションキーに機能を設定する（Ｓ１２８）。
【００７０】
図６に示す実施の形態では、操作情報の転送時にＳＩＭカード１４に操作情報を書き込むようにしたが、ＳＩＭカード１４を携帯電話機２１、２３の記憶部１１の一部として使用して、機能が設定されたときにＳＩＭカード１４に操作情報を書き込むように構成してもよい。
【００７１】
このように、本発明の第３の実施の形態では、携帯電話機にはＳＩＭカード１４が着脱可能であって、ＳＩＭカード１４に操作情報を記憶し、ＳＩＭカード１４から操作情報を読み取って、操作部１０の特定の手順の操作に対応する機能として設定するように、読み取った操作情報を記憶部１１に記憶するので、ＳＩＭカード１４の着脱により他の携帯電話機に操作情報を転送して設定できることから、簡単に他の携帯電話機を同じ使い勝手の携帯電話機とすることができる。
【００７２】
また、操作情報として、ファンクションキーに設定されている機能に対応する機能コードと、その機能が割り当てられているファンクションキーに対応する手順コードとを入出力するので、異なる機種間で操作情報を共通化でき、同一機種間でなくても操作情報を転送することができる。
【００７３】
また、操作情報を解析してから転送先装置２３の機能として設定するので、機能が異なる機種や、異なる操作部を備えた機種に操作情報を転送しても、転送した操作情報に関する機能が不用意に設定されることがない。
【００７４】
図７は、本発明の第４の実施の形態の操作情報の転送の態様を示す図である。この第４の実施の形態において、携帯電話機をパーソナルコンピュータ２５に接続して、パーソナルコンピュータ２５を介してデータを転送する。
【００７５】
転送元装置（携帯電話機）２１のインターフェース部１２には接続ケーブルが接続され、パーソナルコンピュータ２５に接続される。転送先装置（携帯電話機）２３のインターフェース部１２にも接続ケーブルが接続され、パーソナルコンピュータ２５に接続される。パーソナルコンピュータ２５は転送元装置２１及び転送先装置２３からの信号をデータ変換装置を介してシリアルインターフェース（例えば、ＵＳＢなど）から取り込み、転送元装置２１及び転送先装置２３へデータ変換装置を介して信号を出力する。本実施の形態では転送元装置２１と転送先装置２３とを同時にパーソナルコンピュータ２５に接続しているが、転送元装置２１とパーソナルコンピュータ２５とを接続して、転送元装置２１からパーソナルコンピュータ２５に操作情報を転送した後、転送元装置２１をパーソナルコンピュータ２５から取り外し、転送先装置２３とパーソナルコンピュータ２５とを接続して、パーソナルコンピュータ２５から転送先装置２３に操作情報を転送するように構成してもよい。
【００７６】
図８は、本発明の第４の実施の形態のパーソナルコンピュータ２５の動作を示すフローチャートである。
【００７７】
転送元装置２１と転送先装置２３とを接続ケーブルよってパーソナルコンピュータ２５に接続した後、パーソナルコンピュータ２５を操作し、転送元装置２１と転送先装置２３とをデータ転送モードに設定すると（Ｓ１４２）、パーソナルコンピュータ２５と転送元装置２１、転送先装置２３とは相互に同期をとり、相互に通信が可能な状態に初期設定がされる（Ｓ１４２）。その後、転送元装置２１の記憶部１１に記憶されていた操作データを読み出し、ファンクションキーに設定されている機能に対応する機能コードと、その機能が割り当てられているファンクションキーの操作手順に対応する手順コードとで構成される操作データを、操作情報として、転送元装置２１からパーソナルコンピュータ２５に転送する（Ｓ１４３）。
【００７８】
データの転送を受けたパーソナルコンピュータ２５は、転送を受けた操作データの解析を行う（Ｓ１４４〜Ｓ１４９）。まず、転送先装置２３に転送された機能コードに相当する機能が転送先装置２３に備わっているかを判断する（Ｓ１４４）。転送先装置２３に相当する機能が備わっていなければ、転送されたファンクションキーの設定データを無視して、転送先装置２３の機能として設定しない（Ｓ１４５）。一方、転送先装置２３に相当する機能が備わっていれば、転送された手順コードから転送先装置２３に相当するファンクションキーがあるかを検索する（Ｓ１４６）。転送先装置２３に相当するファンクションキーがあれば、転送された操作データをその検索されたファンクションキーに割り当てて、操作データを記憶部１１に記憶する（Ｓ１４７）。
【００７９】
一方、転送先装置２３に相当するファンクションキーがなければ、パーソナルコンピュータ２５の画面に転送先装置２３にて当該操作データを割り当てるキーの入力を促すメッセージを表示し、キーの入力を受け付ける（Ｓ１４８）。そして、転送された操作データを入力されたキーに割り当てて、転送先装置２３に転送する操作データを生成する（Ｓ１４９）。
【００８０】
その後、未解析の操作データがあるかを判断し（Ｓ１５０）、未解析の操作データが有ればステップＳ１４４に戻り、操作データの解析を続ける。一方、全ての操作データの解析が終わり、未解析の操作データが無くなれば（Ｓ１５０）、操作データをまとめて操作情報としてパーソナルコンピュータ２５から転送先装置２３に転送し（Ｓ１５１）、操作情報の転送を終了する。
【００８１】
このように、本発明の第４の実施の形態では、携帯電話機のインターフェース部１２からパーソナルコンピュータ２５に操作情報を出力し、インターフェース部１２にパーソナルコンピュータ２５から操作情報を入力するように構成し、さらに、操作部１０の特定の手順の操作に対応する機能として設定するように、入力されたを記憶部１１に記憶するので、ファンクションキーに設定した操作情報を入出力して、他の携帯電話機に操作情報を転送して設定できることから、簡単に他の携帯電話機を同じ使い勝手の携帯電話機とすることができる。
【００８２】
また、操作情報として、ファンクションキーに設定されている機能に対応する機能コードと、その機能が割り当てられているファンクションキーに対応する手順コードとを入出力するので、異なる機種間で操作情報を共通化でき、同一機種間でなくても操作情報を転送することができる。
【００８３】
また、無線基地局を介さずに、パーソナルコンピュータ２５を介して他の携帯電話機に操作情報を転送するので、無線回線のトラフィックを増加させることなく操作情報を転送することができる。
【００８４】
また、操作情報を解析してから転送先装置２３の機能として設定するので、機能が異なる機種や、異なる操作部を備えた機種に操作情報を転送しても、転送した操作情報に関する機能が不用意に設定されることがない。
【００８５】
また、転送元装置２１から入力された操作情報が転送先装置２３が備えていない機能に関するものであるときは、パーソナルコンピュータ２５から当該操作情報を転送先装置２３へ出力しないので、機能が異なる機種間で操作情報を転送しても、異なる機能が設定されることがない。
【００８６】
また、転送先装置２３において、転送元装置２１から入力された操作情報に対応する操作ができないときは、パーソナルコンピュータ２５から当該操作情報に対応する機能を割り当てる操作手順の指定を待って、当該指定された操作手順に当該指定された操作情報を割り当てて、転送先装置２３に出力するので、異なる操作部を備えた機種間で操作情報を転送しても、異なる操作手順に当該機能が設定されることがない。
【００８７】
図９は、本発明の第５の実施の形態のデータ転送の態様を示す図である。この第５の実施の形態においては、携帯電話機２１が基地局３２を介して、転送先の携帯電話機２３にデータを転送する。
【００８８】
携帯電話機２１、２３と無線基地局３２とは無線回線により接続されている。無線基地局３２は公衆電話回線網（ＰＳＴＮ）に接続される（図示省略）とともに、ｗｅｂサーバ３３に接続されている。すなわち、無線基地局３２は、携帯電話機との間で送受信される音声信号を公衆電話回線網との間で送受信し、データ信号をｗｅｂサーバ３３との間で送受信するように制御している。ｗｅｂサーバ３３はインターネットに接続されており、他のサーバとの間で情報のやりとりができるようになっている。ｗｅｂサーバ３３はＣＰＵ、記憶部（ＲＡＭ、ＲＯＭ、ＨＤＤ）、インターフェース部等を備えており、携帯電話機２１から転送を受けた操作情報をｗｅｂサーバ３３の記憶部に一時的に記憶して、携帯電話機２３に転送する。
【００８９】
図１０は、本発明の第５の実施の形態における操作情報の転送手順を示すフローチャートである。
【００９０】
転送元装置２１を、ｅｚｗｅｂ、ｉ−ｍｏｄｅ等のデータ通信手段に設けられた操作情報転送用のサイトに接続し（Ｓ１６２）、操作情報を送信（アップロード）する旨の信号を無線基地局３２に送信すると、無線基地局３２はｗｅｂサーバ３３に転送元装置２１からの信号を伝える（Ｓ１６３）。
【００９１】
転送元装置２１は無線基地局３２を介してｗｅｂサーバ３３に操作情報を送信する（Ｓ１６４）。ｗｅｂサーバ３３は転送元装置２１から転送された操作情報を一時的に記憶して、転送された操作情報のダウンロード時に使用する個別番号（ＩＤ番号、暗証番号）を転送元装置２１に通知する（Ｓ１６５）。その後、転送元装置２１はｗｅｂサーバ３３の操作データ転送用サイトとの接続を解除する（Ｓ１６６）。
【００９２】
転送先装置２３を操作データ転送用のサイトに接続し（Ｓ１６７）、操作データの転送を受ける（ダウンロードする）旨の信号を無線基地局３２に送信して（Ｓ１６８）、操作データのアップロード時に通知された個別番号を転送先装置２３に入力する（Ｓ１６９）。この個別番号が一致すると、ｗｅｂサーバ３３は転送元装置２１から転送され一時的に記憶した操作データを、転送先装置２３に転送する（Ｓ１７０）。その後、第１の実施の形態のステップＳ１０７〜Ｓ１１２と同様に操作データを解析する（Ｓ１７１）。すなわち、転送を受けた操作情報に基づいて、転送を受けた機能や、その機能が設定されたファンクションキーが転送先装置２３にあるかを判断する。そして、解析した操作情報を転送先装置２３の記憶部１１に記憶して、この操作情報に基づいてファンクションキーに機能を設定する。
【００９３】
このように、本発明の第５の実施の形態では、無線基地局３２との間で無線により通信を行う携帯電話機において、転送元装置２１が操作情報を無線基地局３２を介してｗｅｂサーバ３３に送信し、転送先装置２３がｗｅｂサーバ３３に記憶された操作情報を無線基地局３２を介して受信して、転送先装置２３の機能として設定するように操作情報を記憶部１１に記憶するので、他の携帯電話機に操作情報を転送して設定できることから、他の接続手段（接続ケーブル、赤外線通信手段等）を用いることなく他の通信装置に操作情報を転送して、簡単に他の携帯電話機を同じ使い勝手の携帯電話機とすることができる。また、遠方の通信装置にも操作情報を転送して、簡単に他の通信装置に機能を設定することができる。
【００９４】
また、操作情報として、ファンクションキーに設定されている機能に対応する機能コードと、その機能が割り当てられているファンクションキーに対応する手順コードとを入出力するので、異なる機種間で操作情報を共通化でき、同一機種間でなくても操作情報を転送することができる。
【００９５】
また、操作情報を解析してから転送先装置２３の機能として設定するので、機能が異なる機種や、異なる操作部１０を備えた機種に操作情報を転送しても、転送した操作情報に関する機能が不用意に設定されることがない。
【００９６】
図１１は、本発明の実施の形態の操作情報の転送における携帯電話機のファンクションキーの設定を示す図である。図１１に示す実施の形態では１台の携帯電話機２１に設定された操作情報を１台の携帯電話機２３に転送して設定する様子を示す。
【００９７】
転送元装置２１と転送先装置２３とは同じキー配置を有し、方向キー（スクロールキー）の周囲に、ファンクションキーであるキー１、キー２、キー３が設けられている。さらに、キー１の下にはファンクションキー４が設けられており、キー４の下に設けられている数字キーには長押しで特定の機能を実行するように設定できる。
【００９８】
転送元装置２１において、キー１に非通知着信拒否設定機能が、キー２に着信音変更機能が、キー４に着信履歴全消去機能が設定されている。また、数字キーの左上の”１”キーを長押しすると待受画面設定機能が設定されている。
【００９９】
転送先装置２３は転送元装置２１とは同じキー配置を有しているので、操作情報の転送により同じ位置のキーに同じ機能が設定される。すなわち、操作情報が転送された転送先装置２３は、キー１に非通知着信拒否設定機能が、キー２に着信音変更機能が、キー４に着信履歴全消去機能が、数字キーの”１”キーの長押し時には待受画面設定機能が設定される。
【０１００】
図１２は、本発明の別の実施の形態の操作情報の転送における携帯電話機のファンクションキーの設定を示す図である。図１２に示す実施の形態では複数の携帯電話機２１、２２に設定された操作データを１台の携帯電話機２３に転送して設定する様子を示す。
【０１０１】
本実施の形態においても、転送元装置２１、２２、転送先装置２３は同じキー配置を有している。すなわち、方向キー（スクロールキー）の周囲に、ファンクションキーであるキー１、キー２、キー３が設けられている。さらに、キー１の下にはファンクションキー４が設けられており、キー４の下に設けられている数字キーには長押しで特定の機能を実行するように設定できる。
【０１０２】
転送元装置２１において、キー１に非通知着信拒否設定機能が、キー２に着信音変更機能が、キー４に着信履歴全消去機能が設定されており、数字キーの左上の”１”キーを長押しすると待受画面設定機能が設定されている。また、転送元装置２２において、キー１に累積通話時間表示機能が、キー３に着信音変更機能が設定されている。
【０１０３】
転送先装置２３と転送元装置２１、２２とは同じキー配置を有しているので、操作情報の転送により同じ位置のキーに同じ機能が設定される。すなわち、操作情報が転送された転送先装置２３には、転送元装置２１から転送された操作情報に基づいて、キー２に着信音変更機能が、キー４に着信履歴全消去機能が設定される（実線で示す）。また、転送元装置２２から転送された操作情報に基づいてキー３に着信音変更機能が設定される（破線で示す）。
【０１０４】
キー１には、転送元装置２１では非通知着信拒否設定機能が、転送元装置２２では累積時間表示機能が設定されている。転送先装置２３では、転送元装置２１からの操作情報と、転送元装置２２からの操作情報との両方を転送先装置２３に設定して、両者を切り替えて使用できるように、転送先装置２３の記憶部１１に記憶する。この機能の切換は使用者のキー操作に基づいて切り替えたり、所定の時間になると切り替えるように構成してもよい。さらに、競合するファンクションキーの機能のみ切り替えてもよいが、操作情報の転送元装置毎にファンクションキーの機能をグループ化して、グループ毎に切り替えてもよい。
【０１０５】
また、転送元装置２１、２２からの操作情報との一方を選択して設定することもできる。すなわち、異なる転送元装置２１、２２からの操作情報に基づいて、転送先装置２３の同一のファンクションキー（操作手順）に異なる機能が設定されるとき、使用者にいずれの転送元装置２１、２２からの操作情報に基づいてファンクションキーの機能を設定するかを問い合わせて、使用者が選択した機能を設定する。
【０１０６】
さらに、転送先装置２３に後から転送されてきた操作情報に基づいてファンクションキーの設定をしてもよいし、転送先装置２３に先に転送されてきた操作情報に基づいてファンクションキーの設定をするように構成してもよい。また、転送先装置２３に既に設定されている機能があれば、転送された操作情報に基づいて機能を設定するか否かを使用者に問い合わせてもよいし、転送された操作情報を優先して、転送された操作情報に基づいて機能を設定してもよい。
【０１０７】
また、同一の又は類似する機能が異なる転送元装置からの操作情報に基づいて設定されるとき、使用者に同じ機能を設定するかを問い合わせるように構成してもよい。すなわち、本実施の形態では、着信音変更機能が、転送元装置２１からの操作情報に基づいてキー２に設定され、転送元装置２２からの操作情報に基づいてキー３に設定されているが、転送元装置２１からの操作情報の転送を終え、転送元装置２２からの操作情報の転送をする際に、転送先装置２３において既に設定されている機能と重複するか否かをチェックして、同種の機能が設定されるときは、使用者にその旨の警告をし、同種の機能を重複して設定するかの確認をする。
【０１０８】
このように、図１２に示す実施の形態では、転送先装置２３は、複数の転送元装置２１、２２から入力された操作情報の双方を設定し、設定された操作情報を切り替えて使用可能とするので、異なる使い勝手の機能を切り替えて使用することができ、一つの携帯電話機２３に異なる使い勝手の操作を混在させることができる。
【０１０９】
また、転送先装置２３は、複数の転送元装置２１、２２から入力された操作情報が競合しなければ、複数の転送元装置２１、２２から入力された全ての操作情報を設定するので、複数の操作情報に基づいて、転送先装置２３に多くの機能を実現させることができる。
【図面の簡単な説明】
【図１】  本発明の実施の形態の携帯電話機の構成を示すブロック図である。
【図２】  第１の実施の形態のデータ転送の一態様を示す図である。
【図３】  第１の実施の形態の携帯電話機の動作を示すフローチャートである。
【図４】  第２の実施の形態のデータ転送の一態様を示す図である。
【図５】  第３の実施の形態のデータ転送の一態様を示す図である。
【図６】  第３の実施の形態の携帯電話機の動作を示すフローチャートである。
【図７】  第４の実施の形態のデータ転送の一態様を示す図である。
【図８】  第４の実施の形態のパーソナルコンピュータの動作を示すフローチャートである。
【図９】  第５の実施の形態のデータ転送の一態様を示す図である。
【図１０】  第５の実施の形態における操作データの転送手順を示すフローチャートである。
【図１１】  本発明の実施の形態のデータ転送における携帯電話機のキー割当を示す図である。
【図１２】  本発明の別の実施の形態のデータ転送における携帯電話機のキー割当を示す図である。
【符号の説明】
１  アンテナ
２  無線部
３  送信部
４  受信部
５  音声処理部
６  制御部
７  送話部
８  受話部
９  表示部（液晶表示器）
１０  操作部（キーボード）
１１  記憶部（ＲＡＭ、ＲＯＭ）
１２  インターフェース（Ｉ／Ｆ）
１３  外部通信部
１４  外部記憶部（ＳＩＭ）
２１  転送元装置
２２  転送元装置
２３  転送先装置
２４  接続ケーブル
２５  パーソナルコンピュータ（ＰＣ）
３１  携帯電話機
３２  無線基地局
３３  ｗｅｂサーバ
【図１】
0004465123.tif 000002
【図２】
0004465123.tif 000003
【図３】
0004465123.tif 000004
【図４】
0004465123.tif 000005
【図５】
0004465123.tif 000006
【図６】
0004465123.tif 000007
【図７】
0004465123.tif 000008
【図８】
0004465123.tif 000009
【図９】
0004465123.tif 000010
【図１０】
0004465123.tif 000011
【図１１】
0004465123.tif 000012
【図１２】
0004465123.tif 000013